(57)【特許請求の範囲】
【請求項１】
熱源器からの温水を循環させる温水配管と、当該温水と熱交換させた温風を温風吹出口から吐出させるための送風機と、ノズルヘッドから温水又は水をミスト状にして噴霧するミストノズルとを備えたミスト発生機能付き暖房装置において、
前記温水配管及び前記送風機を納めた暖房装置本体が、壁の室内面に設置され、
前記ミストノズルは、先端に設けられた前記ノズルヘッドと、前記熱源器から導かれた温水供給配管に接続するための接続口と、前記ノズルヘッドと前記接続口とを結ぶジョイント管と、前記接続口の外周部に設けられたフランジとによって構成され、
前記暖房装置本体のケースの壁面側を構成する支持パネルの下面部に位置している下水平片には、その縁部に溝状の切欠部が設けられており、
前記ノズルヘッドが前記下水平片よりも下方に位置するようにして前記ジョイント管を当該下水平片の切欠部に納め、前記フランジを前記下水平片の上面に置くようにして前記下水平片に固定することにより、前記ミストノズルが、前記暖房装置本体のケース下面から飛び出るようにして前記暖房装置本体のケースに保持されるとともに、前記ノズルヘッドが所定の角度で前記暖房装置本体に取り付けられ、
前記温風吹出口は、前記暖房装置本体のケースの前面下端部又は下面に設けられ、
前記ノズルヘッドは、前記温風吹出口の近傍において温風吹出口よりも低い位置に設けられ、前記ノズルヘッドから噴霧される温水又は水の吐出方向と前記温風吹出口から吹き出される温風の吐出方向とが交差するように配置されていることを特徴とするミスト発生機能付き暖房装置。
【請求項２】
前記ミストノズルは、正面から見て、前記温風吹出口の幅方向の中央部の真下に配置されていることを特徴とする、請求項１に記載のミスト発生機能付き暖房装置。
【請求項３】
前記ミストノズルを暖房装置本体ケースに取り付けるための取付孔が長孔となっていることを特徴とする、請求項１に記載のミスト発生機能付き暖房装置。
【請求項４】
前記ミストノズルはカバーによって覆われており、当該カバーにはミストノズルの吐出方向と対応する位置に噴霧口が開口され、ミストノズルの先端は前記噴霧口の近傍で、かつ前記カバーの内側に位置していることを特徴とする、請求項１に記載のミスト発生機能付き暖房装置。
【請求項５】
前記ミストノズルの下方において、前記カバーの内面が後方に向けて下り傾斜していることを特徴とする、請求項４に記載のミスト発生機能付き暖房装置。
【請求項６】
前記ミストノズルの先端部下面が、後方に向けて下り傾斜していることを特徴とする、請求項４又は５に記載のミスト発生機能付き暖房装置。
【発明の詳細な説明】
【技術分野】
【０００１】
本発明は、ミスト発生機能付き暖房装置に関する。例えば、浴室やシャワールーム等において温水又は水を霧状に吐出させる機能を備えたミスト発生機能付き暖房装置に関する。
【背景技術】
【０００２】
温風を吹き出すことによって浴室内を暖房する浴室用暖房装置が広く普及している。しかし、温風を吹き出すことによって暖房する方式では、浴室を暖めるの時間が掛かり、効率よく暖房を行えない。
【０００３】
そのため、高温のミストを噴霧させることができるようにしたミスト発生機能付きの暖房装置が提案されている。このような暖房装置によれば、温風だけでは能力が不足するような場合には、高温のミストを噴霧させることによって短時間で浴室を暖めることができる。また、高温のミストを噴霧させることにより浴室内でミストサウナを行うことができ、水をミスト状にして噴霧させることでシャワー効果を得ることができる。
【０００４】
このようなミスト発生機能付きの暖房装置としては、特許文献１に開示されたものが知られている。この暖房装置は、浴室の天井に設置され、空気吸込口から吸引した空気を加熱して温風吹出口から吐出させることができ、また、ミストノズルからミスト状にした温水又は水（以下、ミストという。）を噴霧させることができるようになっている。
【０００５】
しかし、この暖房装置では、ミストノズルを露出させるための開口と温風吹出口と空気吸込口とが化粧カバーに隣接して設けられている。そのため、温風吹出口から温風を吹き出すと同時に、ミストノズルからミストを噴霧させていると、ミストノズルから噴霧されたミストの一部が室内に広がる前に空気吸込口に吸い込まれてミスト量が不足し、ミストノズルから噴霧されるミストの効率を低下させていた。
【先行技術文献】
【特許文献】
【０００６】
【特許文献１】特開２００２−３９５６２号公報
【発明の概要】
【発明が解決しようとする課題】
【０００７】
本発明は上記のような技術的課題に鑑みてなされたものであり、その目的とするところは、ミスト発生機能付き暖房装置において、ミストノズルから噴霧されたミストを室内へ送り出す能力を高めてミストの効果を高めることにある。さらには、ミストノズルを容易に位置決めして暖房装置本体に取り付けられるようにすることにある。
【課題を解決するための手段】
【０００８】
本発明のミスト発生機能付き暖房装置は、熱源器からの温水を循環させる温水配管と、当該温水と熱交換させた温風を温風吹出口から吐出させるための送風機と、ノズルヘッドから温水又は水をミスト状にして噴霧するミストノズルとを備えたミスト発生機能付き暖房装置において、前記温水配管及び前記送風機を納めた暖房装置本体が、壁の室内面に設置され、前記ミストノズルは、先端に設けられた前記ノズルヘッドと、前記熱源器から導かれた温水供給配管に接続するための接続口と、前記ノズルヘッドと前記接続口とを結ぶジョイント管と、前記接続口の外周部に設けられたフランジとによって構成され、前記暖房装置本体のケースの壁面側を構成する支持パネルの下面部に位置している下水平片には、その縁部に溝状の切欠部が設けられており、前記ノズルヘッドが前記下水平片よりも下方に位置するようにして前記ジョイント管を当該下水平片の切欠部に納め、前記フランジを前記下水平片の上面に置くようにして前記下水平片に固定することにより、前記ミストノズルが、前記暖房装置本体のケース下面から飛び出るようにして前記暖房装置本体のケースに保持されるとともに、前記ノズルヘッドが所定の角度で前記暖房装置本体に取り付けられ、前記温風吹出口は、前記暖房装置本体のケースの前面下端部又は下面に設けられ、前記ノズルヘッドは、前記温風吹出口の近傍において温風吹出口よりも低い位置に設けられ、前記ノズルヘッドから噴霧される温水又は水の吐出方向と前記温風吹出口から吹き出される温風の吐出方向とが交差するように配置されていることを特徴としている。
【０００９】
本発明のミスト発生機能付き暖房装置にあっては、温水配管及び送風機を納めた暖房装置本体が壁の室内面に設置されており、温風吹出口が暖房装置本体ケースの前面下端部又は下面に設けられ、ノズルヘッドが温風吹出口の近傍において温風吹出口よりも低い位置に設けられており、ノズルヘッドから噴霧される温水又は水（ミスト）の吐出方向と温風吹出口から吹き出される温風の吐出方向とが交差しているので、ノズルヘッドから吐出されたミストは、温風吹出口から吐出される温風によって下方へ吹き飛ばされる。その結果、ノズルヘッドから吐出されたミストが直接空気吸込口に吸い込まれにくくなり、ミストの効果を高めることができる。また、温風吹出口から吹き出される温風の方向を変化させることのできるものでは、温風の方向を変化させることにより、ミストの噴霧される方向を変化させることもできる。
【００１０】
また、本発明のミスト発生機能付き暖房装置にあっては、ノズルヘッドは、前記温風吹出口の近傍において温風吹出口よりも低い位置に設けられているので、ノズルヘッドから噴霧される温水又は水の吐出方向を温風吹出口から吹き出される温風の吐出方向と容易に交差させることができる。
さらに、ノズルヘッドが前記下水平片よりも下方に位置するようにして先端にノズルヘッドを備えたミストノズルのジョイント管を暖房装置本体ケースの下面部に位置している下水平片の切欠部に納め、ミストノズルのフランジを前記下水平片の上面に置くようにして下水平片に固定すことにより、ミストノズルが暖房装置本体のケース下面から飛び出るようにして暖房装置本体のケースに保持されているので、ミストノズルを暖房装置本体のケースに簡単に取り付けることができ、また、ノズルヘッドから噴霧される温水又は水の吐出方向を温風吹出口から吹き出される温風の吐出方向と容易に交差させることができる。
【００１１】
本発明の一実施態様においては、前記ミストノズルは、暖房装置を正面から見たとき、前記温風吹出口の幅方向の中央部の真下に配置されている。この実施態様によれば、ミストノズルが温風吹出口の幅方向中央部下方に位置しているので、ミストノズルから吹き出されたミストは、温風吹出口から吹き出された温風によって偏りなくほぼ均等に拡散されながら吹き飛ばされる。
【００１２】
本発明の別な実施態様においては、前記ミストノズルを暖房装置本体ケースに取り付けるための取付孔が長孔となっているので、ミストノズルを暖房装置本体ケースに取り付ける際、ミストノズルの向きを取付孔の長さ方向に沿った方向で調整することができる。
【００１３】
本発明のさらに別な実施態様においては、前記ミストノズルがカバーによって覆われており、当該カバーにはミストノズルの吐出方向と対応する位置に噴霧口が開口され、ミストノズルの先端は前記噴霧口の近傍で、かつ前記カバーの内側に位置している。従って、この実施態様によれば、ミストノズルから落ちた高温の温水の滴や水滴はカバーによって受けられ、下方へ落下するのを防ぐことができる。
【００１４】
本発明のさらに別な実施態様においては、前記ミストノズルの下方において、前記カバーの内面が後方に向けて下り傾斜している。従って、ミストノズルからカバー内に落ちた高温の温水の滴や水滴はカバーに沿って後方へ排出される。特に、当該暖房装置が浴室の壁面に設置されている場合には、後方へ排出された温水や水の滴は浴室の壁面に沿って排出される。
【００１５】
本発明のさらに別な実施態様においては、前記ミストノズルの先端部下面が、後方に向けて下り傾斜している。従って、ミストノズルの先端に溜まった温水や水の滴はミストノズルを伝って後方へ流れることになり、ミストノズルの先端から落下するのを防止することができる。
【図面の簡単な説明】
【００１６】
【図１】本発明の一実施形態によるミスト発生機能付き暖房装置の正面図である。
【図２】図１の暖房装置を壁に設置した状態を示す側面図である。
【図３】図１の暖房装置によるミスト噴霧時の様子を示す概略説明図である。
【図４】（ａ）はミストノズルの正面図、（ｂ）はミストノズルの側面図である。
【図５】（ａ）は暖房装置本体ケースの下水平片に設けられた切欠部を示す一部破断した平面図である。（ｂ）は下水平片に取り付けられたミストノズルを示す平面図である。
【図６】ミストノズルを覆うカバーを示す正面図である。
【図７】ミストノズルとカバーの位置関係を示すと共に、その作用効果を説明する図である。
【図８】（ａ）（ｂ）は本発明の変形例を示す。（ａ）は下水平片に設けられた切欠部と長孔状の取付孔を示す一部破断した平面図であり、（ｂ）は下水平片に取り付けられたミストノズルを示す平面図である。
【図９】同上の変形例におけるミストノズルを覆うカバーを示す正面図である。
【発明を実施するための形態】
【００１７】
以下、本発明の実施形態を図面に従って詳細に説明する。但し、本発明は以下の実施形態に限定されるものではない。
【００１８】
図１は本発明の一実施形態によるミスト発生機能付き暖房装置（以下、暖房装置という。）１１の正面図である。図２は暖房装置１１を壁面に設置した状態の側面図である。また、図３は暖房装置１１からミストと温風を吐出させている状態を説明する概略図である。
【００１９】
図２に示すように、暖房装置１１は、暖房装置本体１２（室内機）、ミスト噴霧部１３および換気装置１４（室外機）からなる。暖房装置本体１２は、浴室等の壁１５の室内面に設置されており、壁１５にあけた孔に貫通させたダクト１６を介して屋外側の換気装置１４と接続されている。
【００２０】
図３に示すように、暖房装置本体１２は、支持パネル１７ａと化粧カバー１７ｂからなる暖房装置本体ケース１７内に、クロスフローファンとモータからなる送風機１８や熱交換器１９、制御回路等を納めたものである。送風機１８及び熱交換器１９は支持パネル１７ａに固定されており、化粧カバー１７ｂにより覆われている。熱交換器１９は温水配管２１によって屋外に設置された熱源器２０と接続されている。化粧カバー１７ｂの上部には空気吸込口２２が設けられ、化粧カバー１７ｂの前面下端部ないし下面には温風吹出口２３が開口されている。
【００２１】
図示しないが、送風機１８のモータは向かって右端に収納され、クロスフローファン及び熱交換器１９はその左側に納められている。そのため、図１に表しているように、空気吸込口２２及び温風吹出口２３は、クロスフローファンや熱交換器１９の位置に合わせて向かって左側へ偏った位置に設けられている。
【００２２】
しかして、この暖房装置１１にあっては、屋外の換気装置１４を運転すると、浴室内の湿気はダクト１６を通じて屋外に排出される。
【００２３】
また、熱源器２０から熱交換器１９に高温の温水を循環させると共に送風機１８を運転させると、空気吸込口２２から暖房装置本体１２内に室内の空気が吸引される。吸引された空気は送風機１８によって熱交換器１９を通過させられ、それによって熱交換器１９内を循環する温水と熱交換して加熱される。加熱された温風は、図３に示すように、下方に向けて吐出され、室内を暖房する。
【００２４】
図１に示すように、温風吹出口２３には、上下に回動させて温風の吐出方向を上下に調整するためのルーバー羽根２３ａと、左右に回動させて温風の吐出方向を左右に調整するための風向板２３ｂが設けられている。したがって、ルーバー羽根２３ａや風向板２３ｂの向きを調整することにより、温風吹出口２３から吹き出される温風の方向を任意に調整することができる。なお、ルーバー羽根２３ａ及び風向板２３ｂを回動させるためのモータ等の動力を設けておき、リモコン等によってルーバー羽根２３ａや風向板２３ｂの角度を調整できるようにしてあってもよい。
【００２５】
次に、ミスト噴霧部１３について説明する。ミスト噴霧部１３は、温水又は水をミスト状にして噴霧させるミストノズル２５と、ミストノズル２５を覆うカバー２６とから構成されている。ミストノズル２５は、図４（ａ）（ｂ）に示すように、ノズルヘッド２７と、接続口２９と、ノズルヘッド２７及び接続口２９を結ぶジョイント管３０と、接続口２９の外周部に設けられたフランジ３１とによって構成されている。温水又は水をミスト状にして噴霧する機構はノズルヘッド２７内に設けられており、接続口２９は熱源器２０から導かれた温水供給配管２８を接続するための部材となっており、ジョイント管３０及びフランジ３１はノズルヘッド２７を所定の角度で暖房装置本体１２に取り付ける働きをしている。
【００２６】
図５（ａ）は支持パネル１７ａの下面部に位置している下水平片３３であって、下水平片３３の前縁部には溝状の切欠部３４が設けられており、その両側にはビスの通る取付孔３６が設けられている。しかして、ミストノズル２５は、ジョイント管３０を切欠部３４内に納め、フランジ３１を下水平片３３の上面に置くようにして設置され、下水平片３３の下面から取付孔３６に通したビス３５をフランジ３１に螺合させてミストノズル２５を下水平片３３に固定している。接続口２９には温水供給配管２８の一端が接続され、温水供給配管２８はダクト１６を通って屋外へ導かれ、温水供給配管２８の他端は熱源器２０に接続される。この結果、ミストノズル２５は、図４（ａ）（ｂ）及び図５（ｂ）に示すように、暖房装置本体１２の下面から飛び出るようにして、温風吹出口２３の下方に配置される。また、暖房装置１１が浴室等の壁面の高所に設置されることから、ノズルヘッド２７は斜め下方を向くように配置されている。
【００２７】
ミストノズル２５は、下水平片３３の切欠部３４に嵌めて簡単に取り付けられるようになっているので、カバー２６のない長尺部３７を準備しておけば、ミスト発生機能を有する暖房機１１とミスト発生機能を有しない暖房機とを共用することもできる。また、暖房機を施工した後でも、簡単にミストノズル２５を取り付けることができるので、ミスト発生機能を有しない暖房装置に容易にミスト発生機能を後付けすることができる。
【００２８】
図６はミストノズル２５を覆うカバー２６の正面図である。カバー２６は暖房装置本体１２の全幅にわたる長さを有する長尺部３７の下面に設けられており、カバー２６にはミストを噴霧させるための円形をした噴霧口３２が開口されている。長尺部３７は、両端に設けられた係止部３９によって暖房装置本体１２の下面に着脱自在に取り付けられる。
【００２９】
カバー２６を暖房装置本体１２の下面に取り付けた状態では、図３に示すように、ノズルヘッド２７の先端部は噴霧口３２の近傍で、かつカバー２６の内側に位置している。よって、温水供給配管２８を介して熱源器２０から高温の温水が供給されると、ノズルヘッド２７から高温の温水（例えば６０℃）がミスト状に吐出され、噴霧口３２を通過して室内に噴霧され、効率よく浴室内の暖房が行われる。あるいは、浴室内をミストサウナとして使用することも可能になる。場合によっては、水を噴霧させてシャワーとして使用することもできる。
【００３０】
また、この暖房装置１１では、図３に示すように、ノズルヘッド２７から吐出されるミストの吐出方向（吐出されるミストの拡がりの中心）Ｂが、温風吹出口２３から吹き出される温風の吐出方向（吹き出される温風の拡がりの中心）Ａと交差するようにノズルヘッド２７が設置されている。そのため、暖房運転しながらミストを噴霧している場合には、ノズルヘッド２７から吐出されたミストは温風吹出口２３から吹き出される温風によって下方へ押し流され、ミストが空気吸込口２２から直ちに吸い込まれることが無くなる。あるいは、温風吹出口２３から吹き出される温風がエアカーテンとなってミストが空気吸込口２２側へ飛散するのを阻害される。よって、ミストが空気吸込口２２に吸い込まれることがなくなり、ミストの効率が向上する。また、このような構成によれば、温風の吹き出し方向を変えることにより、ノズルヘッド２７から吐出されたミストの噴霧方向を調整することができる。
【００３１】
図１に示すように、カバー２６は暖房装置本体１２の左端からＤ２の距離の箇所と右端からＤ２の距離の箇所との間に設けられており、暖房装置本体１２の中央部に配置されている。これは全体としてデザイン上のバランスを考慮したものである。これに対し、ミストノズル２５は温風吹出口２３の左端からも右端からもＤ１の距離に配置されている。即ち、暖房装置１１を正面から見たとき、ミストノズル２５は温風吹出口２３の左右方向の中央のほぼ真下に配置されている。この結果、温風吹出口２３から吹き出される温風の中央部でミストが噴霧されることになり、ミストが温風によって均等に噴霧される。
【００３２】
また、ミストを噴霧している最中やミストの噴霧を停止した直後には、ノズルヘッド２７に結露または付着した温水や水の滴が下方へ落ちる。ノズルヘッド２７から高温のミストが吐出されている場合、その温度は６０℃程度であるため、これが人体の上に落ちると熱く感じる場合がある。また、水滴の場合でも不快感を与える。そのため、この実施形態の暖房装置１１では、図７に示すようにノズルヘッド２７をカバー２６の内面側に少し引っ込めてあり、ノズルヘッド２７から落ちた滴をカバー２６で受けるようにしている。なお、ノズルヘッド２７をカバー２６の内側に引っ込めているので、手などがノズルヘッド２７に触れて熱感を感じることも防止できる。
【００３３】
しかし、ノズルヘッド２７の先端部についた滴がノズルヘッド２７の先端側へ流れて行き、ノズルヘッド２７の先端に溜まって下方へ落ちると、噴霧口３２を通って下方へ落下する恐れがある。そこで、ノズルヘッド２７の先端部の下面３８を、後方へ向けて傾斜角βで斜め下りに傾斜させている。従って、ノズルヘッド２７の先端部に溜まった高温の滴は、矢印のように下面３８の傾斜に沿って後方へ流れる。そして、下面３８の後端部で下方へ落ちた滴はカバー２６によって確実に受けられる。
【００３４】
さらに、カバー２６の底片４０の内面は、後方へ向けて傾斜角αで斜め下りに傾斜させている。よって、カバー２６の上に落ちた滴は、その底片４０の上に溜まることなく、図７に矢印で示すように後方へ向けて排出される。後方へ排出された滴は、浴室等の壁面に沿って流下し、排水される。
【００３５】
図８及び図９は本発明の変形例を説明する図である。この変形例では、図８（ａ）に示すように、下水平片３３に設けた取付孔３６を前後方向に長い長孔にしている。従って、下水平片３３にミストノズル２５を取り付けるとき（例えば、施工現場において）、図８（ｂ）に矢印で示すようにミストノズル２５を回動させてミストノズル２５の向きを変えることができる。また、これに対応させて、図９に示すようにカバー２６の噴霧口３２も横方向に長い長孔としている。よって、この変形例によれば、設置時にミストの噴霧方向を調整することが可能になる。
【００３６】
なお、図示しないが、ミストノズル２５又はノズルヘッド２７は、２個、３個など複数個設けても差し支えない。
【符号の説明】
【００３７】
１１  暖房装置
１２  暖房装置本体
１３  ミスト噴霧部
１４  換気装置
１５  壁
１６  ダクト
１７  暖房装置本体ケース
１７ａ  支持パネル
１７ｂ  化粧カバー
１８  送風機
１９  熱交換器
２０  熱源器
２１  温水配管
２２  空気吸込口
２３  温風吹出口
２３ａ  ルーバー羽根
２３ｂ  風向板
２５  ミストノズル
２６  カバー
２７  ノズルヘッド
２８  温水供給配管
２９  接続口
３０  ジョイント管
３１  フランジ
３２  噴霧口
３３  下水平片
３４  切欠部
３５  ビス
３６  取付孔
３７  長尺部
３８  下面
３９  係止部
４０  底片
【図１】
0004798224.tif 000002
【図２】
0004798224.tif 000003
【図３】
0004798224.tif 000004
【図４】
0004798224.tif 000005
【図５】
0004798224.tif 000006
【図６】
0004798224.tif 000007
【図７】
0004798224.tif 000008
【図８】
0004798224.tif 000009
【図９】
0004798224.tif 000010